(57)【要約】【課題】独特の風合いや高級感等をかもし出すことのできる、友禅紙などの高級柄紙を安価に提供する。【解決手段】捺染台１に地貼りされた和紙２１に、例えば友禅柄が表現されたスクリーン型が重ねられた状態で、該スクリーン型の上から色糊が刷り付けられることにより手捺染された、友禅紙２であって、シアン（Ｃ）、マゼンタ（Ｍ）、イエロー（Ｙ）及びその他の色（Ｋ）の４色の色糊をそれぞれ刷り付けるためのスクリーン型３，４，５，６をその順番を任意として用いたものである。さらに、特殊色（金）に対応するスクリーン型７などを用いたものであってもよい。【選択図】図１
0003179530.tif 000002
【実用新案登録請求の範囲】
【請求項１】
友禅柄を含む高級柄が表現された型を用いて紙類に手捺染された高級柄紙であって、
シアン、マゼンタ、イエロー及びその他の色の４色にそれぞれ対応する型をその順番を任意として用いたものであることを特徴とする高級柄紙。
【請求項２】
特殊色に対応する型を用いたものであることを特徴とする請求項１記載の高級柄紙。
【請求項３】
スポット色に対応する型を用いたものであることを特徴とする請求項１又は２記載の高級柄紙。
【考案の詳細な説明】
【技術分野】
【０００１】
本考案は、高級柄紙に関し、詳しくは友禅柄などのいわゆる高級柄が手捺染された高級柄紙に関するものである。
【背景技術】
【０００２】
布地の染色には，染浴に浸す浸染と，染料を含む捺染のり（色糊）を印捺して模様染を行う捺染とがある。捺染は、技法上は直接捺染法，抜染法，防染法などを含み，操作上は機械捺染，手捺染に分類される。ここでは、型を切り抜き、そこに糊を媒体として染料を落としていく、孔版式の型紙捺染がある。孔版の他には、凸版、凹版、平版等、色々な型式がある。
【０００３】
具体的には、まず染料や助剤をのりと練り合わせて捺染のりをつくり，一般的には捺染機で布地に捺染のりを印捺（プリント）する。次いで水蒸気で加熱（スチーミング）し染料を繊維によく浸透，染着させ，セッケン液等で処理（ソーピング）して付着染料などを除去，水洗したのち乾燥し製品とする。
【０００４】
その場合、１色につき１版（型）を用いて、デザイン内の色をそのまま分割し、それ相応の型枚数を使用して、デザインの色彩を表現していた。このため、例えば１０色のデザインを表現するためには、１０枚の型を必要としていた。
【０００５】
一方、多色原稿の画像情報を繊維構造物上に再現する方法として、多色原稿をシアン（Ｃ）、マゼンタ（Ｍ）及びイエロー（Ｙ）の３原色等に色分解するとともに、各色分解像に対応する複数の版下フィルムを作成し、各版下フィルムから作製した捺染用型により各色分解像を繊維構造物に各色のカラー組成物にて捺染することが広く知られていた。
【０００６】
他方、中間色が多く含まれた多色原稿に対応して、オートスクリーン捺染機により、原色部分のシアン（Ｃ）、マゼンタ（Ｍ）及びイエロー（Ｙ）と各２原色の重なった部分の赤（Ｍ＋Ｙ）、緑（Ｙ＋Ｃ）及び紫（Ｃ＋Ｍ）と３原色の重なった部分の茶褐色（Ｃ＋Ｍ＋Ｙ）と黒の８色に対応する８枚のスクリーン捺染用型を用いて綿の平織物に各グループの捺染ペーストにて機械捺染を施している技術が開示されていた（例えば特許文献１参照）。
【考案の概要】
【考案が解決しようとする課題】
【０００７】
ところで、近年になって、紙類でも、通常柄ではなく、友禅柄などのいわゆる高級柄を使用して独特の風合いや高級感等を出して欲しいとの要請があった。この友禅柄を代表する、京友禅では、絹織物の白布に絵をかき、染め出したもので、もとは鴨川の流れでさらし、鮮やかな色彩を出していた。
【０００８】
かかる友禅柄は、いわゆる通常柄に比べて微妙な色合いを表現することから、製造工程において、前記特許文献１よりもさらに多数の型が必要となる。また、その製造工程において、型を変えて次の型を使用する際に色が混じらないように乾燥させるため、効率的な機械捺染ではなく、非効率的な手捺染が採用されることになる。
【０００９】
したがって、友禅柄は、通常柄よりも、はるかに高価なものとなる。このため、和服に使用される布地などのように、単価が高価なものには対応できても、単価が安価な紙類への対応は、到底採算ベースにのらないことから、これまで実現されていなかった。
【００１０】
本考案は、上記事情に鑑みたものであり、その目的とするところは、独特の風合いや高級感等をかもし出すことのできる友禅紙などの高級柄紙を安価に提供することである。
【課題を解決するための手段】
【００１１】
本考案は、友禅柄を含む高級柄が表現された型を用いて紙類に手捺染された高級柄紙であって、シアン、マゼンタ、イエロー及びその他の色の４色にそれぞれ対応する型をその順番を任意として用いたものであることを特徴とする。なお、紙類には、和紙、洋紙などを含む。
【００１２】
本考案によれば、シアン、マゼンタ、イエロー及びその他の色の４色にそれぞれ対応する型を、その順番を任意として用いたので、それらの型の合計数量よりも多色の表現をすることができるとともに、従来では表現できなかった細かいグラデーションなどが表現できるようになる。その結果、独特の風合いや高級感等をかもし出すことのできる、友禅紙などの高級柄紙を安価に提供できるようになった。
【００１３】
ところで、シアン、マゼンタ、イエロー及びその他の色の４色だけでは、どうしても表現しにくい色がある。そこで、特殊色に対応する型を用いるものであることが好ましい。
【００１４】
この場合、特殊色に対応する型を用いたので、シアン、マゼンタ、イエロー及びその他の色の４色だけでは、どうしても表現しにくい色であっても、容易に表現できるようになった。
【００１５】
また、スポット色に対応する型を用いるものであることが好ましい。
【００１６】
この場合、スポット色に対応する型を用いたので、スポット的な色をも表現できるようになった。
【考案の効果】
【００１７】
本考案によれば、シアン、マゼンタ、イエロー及びその他の色の４色にそれぞれ対応する型を、その順番を任意として用いたので、それらの型の合計数量よりも多色の表現をすることができるとともに、従来では表現できなかった細かいグラデーションなどが表現できるようになる。その結果、独特の風合いや高級感等をかもし出すことのできる、友禅紙などの高級柄紙を安価に提供できるようになった。
【図面の簡単な説明】
【００１８】
【図１】本考案の一実施形態に係る友禅紙の全体構成図である。
【図２】本友禅紙の代表図案１を示す説明図である。
【図３】本友禅紙の代表図案２を示す説明図である。
【図４】本友禅紙の製造手順を示す説明図である。
【考案を実施するための形態】
【００１９】
図１は本考案の一実施形態に係る友禅紙の全体構成図、図２は本友禅紙の代表図案１を示す説明図、図３は本友禅紙の代表図案２を示す説明図である。
【００２０】
本実施形態に係る高級柄紙の一例としての友禅紙２は、図１に示すように、捺染台１上に地貼りされた紙類の一例としての和紙２１に、シアン（Ｃ）、マゼンタ（Ｍ）、イエロー（Ｙ）及びその他の色（Ｋ）の４色にそれぞれ対応するスクリーン型（型、版に相当する。）３，４，５，６を、その順番を任意として用いるとともに、特殊色（金）に対応するスクリーン型７をさらに用いて手捺染したものである。さらに、任意のスポット色に対応するスクリーン型を用いて手捺染したものであってもよい。
【００２１】
なお、その他の色（Ｋ）は必ずしも黒色その他の無彩色である必然性はなく、例えばシアン（Ｃ）とマゼンタ（Ｍ）とイエロー（Ｙ）とを適当な配分で混合した色糊を使用することができる。また、特殊色（金）に代えて、特殊色（パステル系、グリーン系など）であってもよい。
【００２２】
スクリーン型３のスクリーン３１には、細かな網目のメッシュが張られており、友禅柄３２の部分以外には樹脂が塗られている。他のスクリーン型４，５，６も同様である。一方、スクリーン型７のスクリーン７１には、細かな網目のメッシュが張られており、友禅柄７２の部分にのみ樹脂が塗られている。
【００２３】
そして、和紙２１の上に、各スクリーン型のうちの１つ（例えばスクリーン型３）を重ねて、その上からイエロー（Ｙ）の色糊を図示しない「ヘラ」で刷り付けて手捺染すると、イエロー（Ｙ）の色糊がスクリーン型３のスクリーン３１に表現された友禅柄３２の部分を通過して和紙２１上にのり、単色の友禅柄２２が表現され、その後スクリーン型３に代えて別のスクリーン型（４，５，６のいずれか１つ）を次々と重ねて手捺染していくことにより、和紙２１に減色混合された友禅柄２２が表現されるようになっている。
【００２４】
一方、友禅柄２２が表現された和紙２１にスクリーン型７を重ねて、その上から特殊色（金）の色糊を図示しない「ヘラ」で刷りつけて手捺染すると、特殊色（金）の色糊がスクリーン型７のスクリーン７１に表現された友禅柄７２以外の部分を通過して和紙２１上にのり、友禅柄２２が際立って表現された友禅紙２が完成するようになっている。
【００２５】
図２，図３は友禅柄の代表図案１，２であるが、いずれも華麗な京友禅を示している。そもそも「友禅」とは、江戸時代の元禄年間（西暦１６８８年〜１７０３年）を中心に京都で活躍した扇絵師である宮崎友禅斎が着物の友禅模様という名称のもとになった扇絵や小袖の雛形を描いたものである。この友禅模様は、京都で評判になり、後に友禅という名は着物の模様や染織技法も指す言葉になったとのことである。京友禅は、絹織物の白布に絵をかき、染め出したもので、もとは鴨川の流れでさらし、鮮やかな色彩を出していた。
【００２６】
東京で染める手描き友禅のことを、東京友禅（江戸友禅）と呼ぶ。東西の違いは、美意識や生活感覚の違いによるものであるが、それは模様や色彩の違いとして現れている。色彩の傾向としては、華麗な京友禅に対して、全体的に藍や白を効果的に用いて、さっぱりとした色使いに仕上げている。また、加賀友禅は、白地に臙脂色、紅、藍、緑などにぼかしの加わったはでやかな模様の間に、周縁をぼかした紫の雲形の加えられているものが多い。
【００２７】
本発明者は、かかる友禅柄の図案を和紙２１の上に直に印刷することを試みた。例えば図２では、「ぼたん」や「つる」などに、シアン（Ｃ）、マゼンタ（Ｍ）、イエロー（Ｙ）、その他の色（Ｋ）の順に４つのスクリーン型を用いて手捺染し、背景色として特殊色（金）のスクリーン型を用いて手捺染したものである。ここでは、シアン（Ｃ）、マゼンタ（Ｍ）、イエロー（Ｙ）、その他の色（Ｋ）の混合した「ぼたん」や「つる」などの部分と、特殊色（金）の背景部分とは色が重ならないように分けている。これにより、鮮やかな「ぼたん」や「つる」などをゴールドの背景のもとに鮮やかに表現した友禅紙２が得られた。この友禅紙２では、図示ではわかりにくいが、友禅柄の風合いと高級感などをかもしだすことができた。
【００２８】
また、例えば図３では、「ぼたん」や「つる」などに、シアン（Ｃ）、マゼンタ（Ｍ）、イエロー（Ｙ）、その他の色（Ｋ）の４つのスクリーン型を上記とは順序を変えて用いて手捺染し、背景色として特殊色（えんじ）などのスクリーン型を用いて手捺染したものである。ここでは、シアン（Ｃ）、マゼンタ（Ｍ）、イエロー（Ｙ）、その他の色（Ｋ）の混合した「ぼたん」や「つる」などの部分と、特殊色（えんじ）の背景部分とは色が重ならないように分けているが、適所にグラジュエーションをつけている。これにより、鮮やかな「ぼたん」や「つる」などをえんじなどの背景のもとに鮮やかに表現した友禅紙２が得られた。この友禅紙２では、図示ではわかりにくいが、従来の風合いに加え、独特の風合いが感じられ、さらなる高級感などをかもしだすことができた。
【００２９】
そして、発明者による、かかる創意工夫を経て、やっと和紙２１を用いた友禅紙２の実用化の目処がたったのである。図４は本友禅紙２の製造手順を示す説明図である。以下、詳述する。なお、布地等の繊維製品とは異なり、紙類においては、スチーミングやソーピングや水洗が不要となることはいうまでもない。
【００３０】
図４において、まず和紙２１の地貼りを行う。これは、和紙２１を捺染台１に貼る作業である。ついで、前記図２，図３に示したような、京友禅の代表図案１，２等の中から、その年に流行しそうな図柄を選んで、その手捺染を行う。
【００３１】
すなわち、和紙２１の上に、例えばスクリーン型３を重ねて、その上からイエロー（Ｙ）の色糊を図示しない「ヘラ」で刷り付けて手捺染する。すると、イエロー（Ｙ）の色糊がスクリーン型３のスクリーン３１に表現された友禅柄３２の部分を通過して和紙２１上にのり、イエロー（Ｙ）単色の友禅柄２２が表現される。
【００３２】
イエロー（Ｙ）単色の友禅柄２２が表現された和紙２１の上からスクリーン型３を取り除き、代わりに、和紙２１の上にスクリーン型４を重ねて、その上からマゼンタ（Ｍ）の色糊を図示しない「ヘラ」で刷り付けて手捺染する。すると、マゼンタ（Ｍ）の色糊がスクリーン型４のスクリーン４１に表現された友禅柄４２の部分を通過して和紙２１上にのり、マゼンタ（Ｍ）がイエロー（Ｙ）に重なって減色混合された友禅柄２２が表現される。
【００３３】
マゼンタ（Ｍ）がイエロー（Ｙ）に重なって減色混合された友禅柄２２が表現された和紙２１の上からスクリーン型４を取り除き、代わりに、和紙２１の上にスクリーン型５を重ねて、その上からシアン（Ｃ）の色糊を図示しない「ヘラ」で刷り付けて手捺染する。すると、シアン（Ｃ）の色糊がスクリーン型５のスクリーン５１に表現された友禅柄５２の部分を通過して和紙２１上にのり、シアン（Ｃ）がマゼンタ（Ｍ）とイエロー（Ｙ）とに重なってさらに減色混合された友禅柄２２が表現される。
【００３４】
シアン（Ｃ）がマゼンタ（Ｍ）とイエロー（Ｙ）とに重なってさらに減色混合された友禅柄２２が表現された和紙２１の上からスクリーン型５を取り除き、代わりに、和紙２１の上にスクリーン型６を重ねて、その上からその他の色（Ｋ）の色糊を図示しない「ヘラ」で刷り付けて手捺染する。すると、その他の色（Ｋ）の色糊が型６のスクリーン６１に表現された友禅柄６２の部分を通過して和紙２１上にのり、無彩色（Ｋ）が、シアン（Ｃ）とマゼンタ（Ｍ）とイエロー（Ｙ）とに重なってさらに減色混合された友禅柄２２が表現される。
【００３５】
ここで、図示はしていないが、任意のスポット色に対応するスクリーン型を用いれば、そのスポット的な色をも表現できる。
【００３６】
その他の色（Ｋ）が、シアン（Ｃ）とマゼンタ（Ｍ）とイエロー（Ｙ）とに重なってさらに減色混合された友禅柄２２が表現された和紙２１の上からスクリーン型６を取り除き、代わりに、和紙２１の上にスクリーン型７を重ねて、その上から特殊色（金）の色糊を図示しない「ヘラ」で刷り付けて手捺染する。すると、特殊色（金）の色糊がスクリーン型７のスクリーン７１に表現された友禅柄７２以外の部分を通過して和紙２１上にのり、特殊色（金）が背景色となった友禅柄２２が表現される。
【００３７】
この手捺染を行った和紙２１の乾燥を行う。ここでは、自然乾燥または温風により乾燥を行う。乾燥を行った和紙２１の検品を行う。ここでは、目視する。そして、地貼り上げを行う。ここでは、捺染台１に貼った和紙２１を回収する作業を行う。このようにして、できあがった友禅紙２を製品として梱包し出荷する。
【００３８】
以上説明したように、本実施形態に係る友禅紙２は、和紙２１に、友禅柄が表現された型を用いて手捺染されたものであって、シアン（Ｃ）、マゼンタ（Ｍ）、イエロー（Ｙ）及びその他の（Ｋ）の４色にそれぞれ対応するスクリーン型３，４，５，６を、その順番を任意として用いたので、それらのスクリーン型の合計数量よりも多色の表現をすることができるとともに、従来では表現できなかった細かいグラデーションなどが表現できるようになる。その結果、独特の風合いや高級感等をかもし出すことのできる友禅紙２を安価に提供できるようになった。また、特殊色（金）に対応するスクリーン型７を用いたので、シアン（Ｃ）、マゼンタ（Ｍ）、イエロー（Ｙ）及びその他の色（Ｋ）の４色だけでは、どうしても表現しにくい色であっても、容易に表現できるようになった。
【００３９】
なお、上記実施形態では、友禅紙２として京友禅柄の和紙２１を使用しているが、例えば東京友禅、加賀友禅、その他の友禅柄の和紙２１を使用しても良い。また、紙類として、和紙２１を使用しているが、必ずしも和紙に限定されず、洋紙、厚紙等、全ての紙類に適用することができる。
【００４０】
また、上記実施形態では、スクリーン型３，４，５，６，７を使用しているが、代わりに、紙型などを使用してもよい。
【００４１】
また、上記実施形態では、特筆してはいないが、さらに金粉などを用いて金加工を行うこともできる。これにより、友禅柄２２が光輝くことになり、さらなる高級感をかもし出すことができることがわかった。ただし、この金加工は、和紙２１等の紙類以外、例えば布類をも含む、あらゆる製品に適用することができるものである。
【００４２】
また、上記実施形態では、友禅紙２を例示したが、その他の高級柄を手捺染した高級柄紙に広く応用できることはいうまでもない。
【符号の説明】
【００４３】
１  捺染台
２  友禅紙（高級柄紙の一例である。）
２１  和紙（紙類に相当する。）
２２  友禅柄（高級柄の一例である。）
３，４，５，６，７  スクリーン型（型、版に相当する。）
３１，４１，５１，６１，７１  スクリーン
３２，４２，５２，６２，７２  友禅柄
【先行技術文献】
【特許文献】
【００４４】
【特許文献１】特開平６−３３０４７７号公報
【図１】
0003179530.tif 000003
【図４】
0003179530.tif 000004
【図２】
0003179530.tif 000005
【図３】
0003179530.tif 000006
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
友禅柄を含む高級柄が紙類に手捺染される高級柄紙の作成具であって、
紙類を地貼りするための捺染台と、減色混合可能な４色の色糊の数だけ設けられ、前記捺染台に地貼りされた紙類に前記４色の色糊を重ねて刷りつける型とを備えたことを特徴とする高級柄紙の作成具。
【請求項２】
前記捺染台に地貼りされた紙類に特殊色の色糊を刷りつける型をさらに備えたことを特徴とする請求項１記載の高級柄紙の作成具。
【請求項３】
前記捺染台に地貼りされた紙類にスポット色の色糊を刷りつける型をさらに備えたことを特徴とする請求項１又は２記載の高級柄紙の作成具。
【手続補正３】
【補正対象書類名】明細書
【補正対象項目名】０００１
【補正方法】変更
【補正の内容】
【０００１】
本考案は、高級柄紙の作成具に関し、詳しくは友禅柄などのいわゆる高級柄が手捺染される高級柄紙の作成具に関するものである。
【手続補正４】
【補正対象書類名】明細書
【補正対象項目名】００１１
【補正方法】変更
【補正の内容】
【００１１】
本考案は、友禅柄を含む高級柄が紙類に手捺染される高級柄紙の作成具であって、紙類を地貼りするための捺染台と、減色混合可能な４色の色糊の数だけ設けられ、前記捺染台に地貼りされた紙類に前記４色の色糊を重ねて刷りつける型とを備えたことを特徴とする。なお、紙類には、和紙、洋紙などを含む。
【手続補正５】
【補正対象書類名】明細書
【補正対象項目名】００１２
【補正方法】変更
【補正の内容】
【００１２】
本考案によれば、紙類を地貼りするための捺染台と、減色混合可能な４色の色糊の数だけ設けられ、前記捺染台に地貼りされた紙類に前記４色の色糊を重ねて刷りつける型とを備えたので、それらの型の合計数量よりも多色の表現をすることができるとともに、従来では表現できなかった細かいグラデーションなどが表現できるようになる。その結果、独特の風合いや高級感等をかもし出すことのできる、友禅紙などの高級柄紙を安価に提供できるようになった。
【手続補正６】
【補正対象書類名】明細書
【補正対象項目名】００１７
【補正方法】変更
【補正の内容】
【００１７】
本考案によれば、紙類を地貼りするための捺染台と、減色混合可能な４色の色糊の数だけ設けられ、前記捺染台に地貼りされた紙類に前記４色の色糊を重ねて刷りつける型とを備えたので、それらの型の合計数量よりも多色の表現をすることができるとともに、従来では表現できなかった細かいグラデーションなどが表現できるようになる。その結果、独特の風合いや高級感等をかもし出すことのできる、友禅紙などの高級柄紙を安価に提供できるようになった。